(57)【要約】【課題】  ヘッドレストに適応可能な低反発弾性率を確保しつつ、地球温暖化防止に寄与可能な表皮一体発泡成形品を得る。【解決手段】  軟質ポリウレタンフォーム１２を成すポリオール成分１４、イソシアネート成分１６のうちのポリオール成分１４に植物系原料１４−１を含有させることで軟質ポリウレタンフォームの反発弾性率が低下する現象に着目し、ポリオール成分１４にのみ植物系原料１４−１を所定量含有させることによりその反発弾性率を４５％未満にした軟質ポリウレタンフォームを、表皮一体発泡成形品、たとえばヘッドレスト１０のクッション体として用いている。【選択図】  図２
2011208006.tif 000002
【特許請求の範囲】
【請求項１】
少なくともポリオール成分とイソシアネート成分とを含む軟質ポリウレタンフォームを、袋状表皮体内で発泡成形されるクッション体として用いた表皮一体発泡成形品において、
上記ポリオール成分にのみ植物系原料を所定量含有させることによりその反発弾性率を４５％未満にした上記軟質ポリウレタンフォームを、上記クッション体として用いたことを特徴とする表皮一体発泡成形品。
【請求項２】
自動車用シートのヘッドレストとしてなる請求項１記載の表皮一体発泡成形品。
【発明の詳細な説明】
【技術分野】
【０００１】
本発明は、袋状表皮体内に軟質ポリウレタンフォームを加圧注入し発泡させてなる表皮一体発泡成形品、特に自動車用シートのヘッドレストとして用いられる表皮一体発泡成形品に関する。
【背景技術】
【０００２】
自動車用シートのヘッドレストとして、たとえば、ステーやフレーム等の芯材を内挿した袋状表皮体内にクッション体となる軟質ポリウレタンフォームを加圧注入し発泡させることにより芯材、袋状表皮体を共に一体に成形した、いわゆる表皮一体発泡成形品としてなるものが知られている。
【０００３】
ところで、ヘッドレストのクッション体として用いられた軟質ポリウレタンフォームは、通常、廃車処分の際にシュレッダー処理されて焼却される。しかしながら、この種の軟質ポリウレタンフォームは、特開平０７−２０６９６１号公報等に開示のように一般的に石油系原料から製造されているため、地球温暖化の原因の一つとされている温室効果ガスである二酸化炭素が、その焼却の際に発生することが避けられない。加えて、石油等の有限な資源の枯渇を防止するためにも、軟質ポリウレタンフォームにおける石油系原料の使用量の削減が望まれている。
【０００４】
ここで、軟質ポリウレタンフォームの原料として、植物系原料が着目されている（特開２００８−０５６７７９号公報等）。植物系原料を多く含む軟質ポリウレタンフォームであれば、焼却によって二酸化炭素が発生しても地球規模でいえば地球温暖化は防止できるものと考えられているからである。
【先行技術文献】
【特許文献】
【０００５】
【特許文献１】特開平７−２０６９６１号公報
【特許文献２】特開２００８−０５６７７９号公報
【発明の概要】
【発明が解決しようとする課題】
【０００６】
ところで、自動車用シートのヘッドレストのクッション体として用いられる軟質ポリウレタンフォームには、低反発特性を有していることが衝撃吸収の点から求められ、その要求される反発弾性率は、クッション性の重視されるシートクッションやシートバックのシートパッドとは大きく異なるものとなっている。
【０００７】
通常、軟質ポリウレタンフォームを低反発化させるには、物質の結合に用いられる架橋剤を多く含ませることが一般的に行われているが、架橋剤自体が石油系原料からなるものであるため、この架橋剤の増加を伴う軟質ポリウレタンフォームの低反発化は地球温暖化防止の観点から見れば好ましいものとはいえない。
【０００８】
本発明は、ヘッドレストに適応可能な低反発弾性率を確保しつつ、地球温暖化防止に寄与可能な表皮一体発泡成形品の提供を目的としている。
【課題を解決するための手段】
【０００９】
ここで、本発明においては、軟質ポリウレタンフォームを成すポリオール成分、イソシアネート成分のうちのポリオール成分に植物系原料を含有させることで軟質ポリウレタンフォームの反発弾性率が低下する現象に着目した。そして、上記の目的のために、請求項１に係る本発明の表皮一体発泡成形品によれば、軟質ポリウレタンフォームを成すポリオール成分、イソシアネート成分のうちのポリオール成分にのみ植物系原料を所定量含有させることによりその反発弾性率を４５％未満にした軟質ポリウレタンフォームを、クッション体として用いている。
【００１０】
そして、本願の請求項２によれば、自動車用シートのヘッドレストを表皮一体発泡成形品として具体化している。
【発明の効果】
【００１１】
請求項１に係る本発明では、クッション体を成す軟質ポリウレタンフォームが、ポリオール成分に植物系原料を含有させたものであるため、石油系原料の使用量が低減される。そして、そのポリオール成分への植物系原料の含有により、軟質ポリウレタンフォームの反発弾性率を４５％未満としているため、軟質ポリウレタンフォームの低反発化が石油系原料からなる架橋剤の増加を伴うことなく可能となる。従って、軟質ポリウレタンフォームの低反発化と地球温暖化防止への寄与との両立が可能になる。
【００１２】
また、請求項２に係る本発明では、表皮一体発泡成形品を自動車用シートのヘッドレストとして具体化しており、反発弾性率を４５％未満とした軟質ポリウレタンフォームをヘッドレストのクッション体として用いれば、着座者頭部に対する適切な支持が十分に確保可能となる。
【図面の簡単な説明】
【００１３】
【図１】本発明の表皮一体発泡成形品としてなるヘッドレストの概略縦断面図を示す。
【図２】本発明の表皮一体発泡成形品のクッション体として用いられる軟質ポリウレタンフォームの成分グラフを示す。
【図３】反発弾性率とポリオール成分への植物系原料の含有率との関係を示すグラフを示す。
【発明を実施するための形態】
【００１４】
軟質ポリウレタンフォームを成すポリオール成分、イソシアネート成分のうちのポリオール成分にのみ植物系原料を所定量含有させることによりその反発弾性率を４５％未満にした軟質ポリウレタンフォームを、表皮一体発泡成形品、たとえば自動車用シートのヘッドレストのクッション体に用いている。
【実施例】
【００１５】
以下、図面を参照しながら本発明の実施例を詳細に説明する。図１は表皮一体発泡成形品としてなるヘッドレスト１０の概略縦断面図、図２は本発明の表皮一体発泡成形品（ヘッドレスト）のクッション体として用いられる軟質ポリウレタンフォーム１２の成分グラフを示す。
図示のように、本発明の表皮一体発泡成形品（ヘッドレスト）１０においては、軟質ポリウレタンフォーム１２を成すポリオール成分１４、イソシアネート成分１６のうちのポリオール成分にのみ植物系原料１４−１を所定量含有させることによりその反発弾性率を４５％未満にした軟質ポリウレタンフォームを、表皮一体発泡成形品１０、たとえば自動車用シートのヘッドレストのクッション体に用いている。
【００１６】
図１を見るとわかるように、表皮一体発泡成形品としてなる自動車用シートのヘッドレスト１０は、たとえば、ステー１８等の芯材を内挿した袋状表皮体２０の内部にクッション体となる軟質ポリウレタンフォーム１２を加圧注入し発泡させることにより芯材、袋状表皮体を共に一体に成形されるが、この種の表皮一体発泡成形品の製造方法としては公知の方法が利用できるとともに、その製造方法自体はこの発明の趣旨でないため、ここでの詳細な説明は省略する。
【００１７】
ヘッドレスト１０のクッション体となる軟質ポリウレタンフォームは、通常、ポリオール成分とイソシアネート成分とを反応させることにより製造されるが、本発明において使用する軟質ポリウレタンフォームにおいては、軟質ポリウレタンフォームを成すポリオール成分、イソシアネート成分のうちのポリオール成分にのみ、植物系原料を所定量含有させるものとしている。
【００１８】
ここで、ポリオール成分に植物系原料を含有させた場合の、反発弾性率とその含有率との関係グラフを図３に示す。この関係グラフを見るとわかるように、軟質ポリウレタンフォーム１２においては、ポリオール成分１４への植物系原料１４−１の含有率が増すにつれ、軟質ポリウレタンフォーム自体の反発弾性率が低下する特性を有していることがわかる。本発明はこの特性を利用して、軟質ポリウレタンフォーム１２を成すポリオール成分１４、イソシアネート成分１６のうちのポリオール成分にのみ植物系原料１４−１を所定量含有させることにより、反発弾性率を４５％未満とした軟質ポリウレタンフォームを得るものとし、ヘッドレスト１０のクッション体としての適応性を確保している。
【００１９】
なお、図２の参照符号１４−２はポリオール成分１４のうちの石油系原料を示す。そして、軟質ポリウレタンフォーム１２におけるポリオール成分１４とイソシアネート成分１６との比率は約６：４であり、そのうちのポリオール成分の一部として植物系原料１４−１が含有される。
【００２０】
また、ここでいう植物系原料１４−１としては、トウゴマの種子から得られるひまし油が例示できるが、軟質ポリウレタンフォーム１２のポリオール成分構造に近い構造を有するものであれば足りるため、ひまし油に限定されず、他の植物系原料を利用することもできる。
【００２１】
このようにしてなる軟質ポリウレタンフォーム１２であれば、クッション体を成す軟質ポリウレタンフォームが、ポリオール成分に植物系原料を含有させたものであるため、石油系原料の使用量が低減される。そして、そのポリオール成分への植物系原料の含有により、軟質ポリウレタンフォームの反発弾性率を４５％未満としているため、軟質ポリウレタンフォームの低反発化が石油系原料からなる架橋剤の増加を伴うことなく可能となる。従って、軟質ポリウレタンフォームの低反発化と地球温暖化防止への寄与との両立が可能になる。
【００２２】
そして、反発弾性率が４５％未満であれば、ヘッドレスト１０において要求される衝撃吸収性能が確保されるため、ヘッドレストのクッション体としての軟質ポリウレタンフォームが容易に確保可能となる。
【００２３】
なお、ここでは自動車用シートのヘッドレストを表皮一体発泡成形品として具体化しているが、これに限定されず、たとえば自動車用シートのアームレストに、この発明を応用してもよい。
【００２４】
上述した実施例は、この発明を説明するためのものであり、この発明を何ら限定するものでなく、この発明の技術範囲内で変形、改造などの施されたものも全てこの発明に包含されることはいうまでもない。
【産業上の利用可能性】
【００２５】
自動車用シートに限定されず、バス、電車、飛行機等の乗り物用シートに用いられる表皮一体発泡成形品にも、本発明は応用できる。
【符号の説明】
【００２６】
１０      表皮一体発泡成形品（ヘッドレスト）
１２      軟質ポリウレタンフォーム
１４      ポリオール成分
１４−１  植物系原料
１４−２  石油系原料
１６      イソシアネート成分
【図１】
2011208006.tif 000003
【図２】
2011208006.tif 000004
【図３】
2011208006.tif 000005